(57)【要約】【課題】  利用可能なスペクトルサービスのダイナミックシェアリングを管理するための技法が提供される。本技法は、1つ以上のスペクトルサービスホルダにより提供される1つ以上の利用可能なスペクトルサービスに対応する情報を、クラウドスペクトルサービスデータに保存するステップを含む。本技法は、クラウドスペクトルサービスデータベースに保存されている1つ以上のスペクトル共有基準と、スペクトルシェアリングの要求を処理し、スペクトルシェアリングの要求元に関連する1つ以上のサービス基準とが合致していることに基づいて、1つ以上の利用可能なスペクトルサービスのうちの1つ以上をスペクトルサービスの要求元に共有させるか否かを判断するステップを含む。本技法は、合致していたことに基づいて、1つ以上の利用可能なサービスのうちの1つ以上をスペクトルシェアリングの要求元に割り当てるステップを含む。
2015518673.tif 000002
【特許請求の範囲】
【請求項１】
１つ以上のスペクトルサービスホルダに提供されている１つ以上の利用可能なスペクトルサービスに対応する情報を、少なくとも、クラウドスペクトルサービスデータベースに保存するステップであって、前記情報は、前記１つ以上の利用可能なスペクトルサービスにそれぞれ関連する１つ以上のスペクトル共有基準を含み、前記１つ以上のスペクトル共有基準は前記１つ以上のスペクトルサービスホルダにより提供されている、ステップと、
前記クラウドスペクトルサービスデータベースに保存されている前記１つ以上の利用可能なスペクトル共有基準と、スペクトルシェアリングの要求元に関連する１つ以上のサービス基準との照合に少なくとも部分的に基づいて、少なくとも、前記１つ以上の利用可能なスペクトルサービスのうちの１つ以上を、前記スペクトルシェアリングの要求元と共有させるか否かを判断するように、スペクトルシェアリングの要求を処理するステップと、
前記の照合の結果に基づいて、少なくとも、前記１つ以上の利用可能なスペクトルサービスのうちの１つ以上を、前記スペクトルシェアリングの要求元に割り当てるステップと
を有する方法。
【請求項２】
当該方法が、スペクトルサービスの割当規制に関する１つ以上の規制ルールを決定するステップを有し、
前記１つ以上の利用可能なスペクトルサービスの割り当ては前記１つ以上の規制ルールにも基づいている、請求項１に記載の方法。
【請求項３】
少なくとも、前記１つ以上の利用可能なスペクトルサービスのうちの１つ以上を、前記スペクトルシェアリングの要求元に割り当てたことに基づいて、前記クラウドスペクトルサービスデータベースを更新するステップを有する請求項１に記載の方法。
【請求項４】
前記１つ以上の利用可能なスペクトルサービスの割り当てを示す通知を、前記１つ以上の割り当てられたスペクトルサービスに関連する１つ以上のスペクトルサービスホルダに通知するステップを有する請求項１に記載の方法。
【請求項５】
前記１つ以上の利用可能なスペクトルサービスの割り当てを示す通知が、前記１つ以上のスペクトルサービスを前記スペクトルシェアリングの要求元と共有する判断に関する１つ以上の詳細事項を含む、請求項４に記載の方法。
【請求項６】
前記１つ以上の利用可能なスペクトルサービスの割り当てを示す通知を、前記スペクトルシェアリングの要求元に送信するステップを有する請求項１に記載の方法。
【請求項７】
前記１つ以上のスペクトル共有基準は、前記１つ以上のスペクトルサービスが利用可能である期間を含む、請求項１に記載の方法。
【請求項８】
前記１つ以上のスペクトル共有基準は、前記利用可能なスペクトルサービスを共有する際の希望価格、前記利用可能なスペクトルサービスのパフォーマンスデータ、前記利用可能なスペクトルサービスの周波数範囲、及び、利用可能なスペクトルサービスの共有が許可されるスペクトルシェアリングの要求者のうち１つ以上を含む、請求項１に記載の方法。
【請求項９】
前記１つ以上のサービス基準は、要求されるスペクトルシェアリングが行われるべき期間、要求されるスペクトルシェアリングの提示価格の範囲、要求されるスペクトルシェアリングが許可される周波数範囲、前記スペクトルシェアリングの要求元に関するパフォーマンス条件、及び、要求されるスペクトルシェアリングが行われるスペクトルサービスホルダのうちの１つ以上を含む請求項１に記載の方法。
【請求項１０】
スペクトルシェアリングの要求元が別のスペクトルサービスホルダである、請求項１に記載の方法。
【請求項１１】
少なくとも１つのプロセッサと、
１つ以上のプログラムに関するコンピュータプログラムコードを含む少なくとも１つのメモリと、
を有する装置であって、前記少なくとも１つのメモリ及び前記コンピュータプログラムコードは、前記少なくとも１つのプロセッサにより、少なくとも或る方法を前記装置に実行させるように形成され、前記或る方法は、
１つ以上のスペクトルサービスホルダに提供されている１つ以上の利用可能なスペクトルサービスに対応する情報を、少なくとも、クラウドスペクトルサービスデータベースに保存するステップであって、前記情報は、前記１つ以上の利用可能なスペクトルサービスにそれぞれ関連する１つ以上のスペクトル共有基準を含み、前記１つ以上のスペクトル共有基準は前記１つ以上のスペクトルサービスホルダにより提供されている、ステップと、
前記クラウドスペクトルサービスデータベースに保存されている前記１つ以上の利用可能なスペクトル共有基準と、スペクトルシェアリングの要求元に関連する１つ以上のサービス基準との照合に少なくとも部分的に基づいて、少なくとも、前記１つ以上の利用可能なスペクトルサービスのうちの１つ以上を、前記スペクトルシェアリングの要求元と共有させるか否かを判断するように、スペクトルシェアリングの要求を処理するステップと、
前記の照合の結果に基づいて、少なくとも、前記１つ以上の利用可能なスペクトルサービスのうちの１つ以上を、前記スペクトルシェアリングの要求元に割り当てるステップと
を有する、装置。
【請求項１２】
前記方法が、スペクトルサービスの割当規制に関する１つ以上の規制ルールを決定するステップを有し、
前記１つ以上の利用可能なスペクトルサービスの割り当ては前記１つ以上の規制ルールにも基づいている、請求項１１に記載の装置。
【請求項１３】
前記方法は、少なくとも、前記１つ以上の利用可能なスペクトルサービスのうちの１つ以上を、前記スペクトルシェアリングの要求元に割り当てたことに基づいて、前記クラウドスペクトルサービスデータベースを更新するステップを有する請求項１１に記載の装置。
【請求項１４】
前記方法は、前記１つ以上の利用可能なスペクトルサービスの割り当てを示す通知を、前記１つ以上の割り当てられたスペクトルサービスに関連する１つ以上のスペクトルサービスホルダに通知するステップを有する請求項１１に記載の装置。
【請求項１５】
前記１つ以上の利用可能なスペクトルサービスの割り当てを示す通知が、前記１つ以上のスペクトルサービスを前記スペクトルシェアリングの要求元と共有する判断に関する１つ以上の詳細事項を含む、請求項１４に記載の装置。
【請求項１６】
前記方法は、前記１つ以上の利用可能なスペクトルサービスの割り当てを示す通知を、前記スペクトルシェアリングの要求元に送信するステップを有する請求項１１に記載の装置。
【請求項１７】
前記１つ以上のスペクトル共有基準は、前記１つ以上のスペクトルサービスが利用可能である期間を含む、請求項１１に記載の装置。
【請求項１８】
前記１つ以上のスペクトル共有基準は、前記利用可能なスペクトルサービスを共有する際の希望価格、前記利用可能なスペクトルサービスのパフォーマンスデータ、前記利用可能なスペクトルサービスの周波数範囲、及び、利用可能なスペクトルサービスの共有が許可されるスペクトルシェアリングの要求者のうち１つ以上を含む、請求項１１に記載の装置。
【請求項１９】
前記１つ以上のサービス基準は、要求されるスペクトル共有が行われるべき期間、要求されるスペクトルシェアリングの提示価格の範囲、要求されるスペクトルシェアリングが許可される周波数範囲、前記スペクトルシェアリングの要求元に関するパフォーマンス条件、及び、要求されるスペクトルシェアリングが行われるスペクトルサービスホルダのうちの１つ以上を含む請求項１１に記載の装置。
【請求項２０】
スペクトルシェアリングの要求元が別のスペクトルサービスホルダである、請求項１１に記載の装置。
【請求項２１】
１つ以上のプロセッサにより装置に方法を実行させる１つ以上の一連の１つ以上の命令を記憶するコンピュータ読み取り可能な記憶媒体であって、前記方法は、
１つ以上のスペクトルサービスホルダに提供されている１つ以上の利用可能なスペクトルサービスに対応する情報を、少なくとも、クラウドスペクトルサービスデータベースに保存するステップであって、前記情報は、前記１つ以上の利用可能なスペクトルサービスにそれぞれ関連する１つ以上のスペクトル共有基準を含み、前記１つ以上のスペクトル共有基準は前記１つ以上のスペクトルサービスホルダにより提供されている、ステップと、
前記クラウドスペクトルサービスデータベースに保存されている前記１つ以上の利用可能なスペクトル共有基準と、スペクトルシェアリングの要求元に関連する１つ以上のサービス基準との照合に少なくとも部分的に基づいて、少なくとも、前記１つ以上の利用可能なスペクトルサービスのうちの１つ以上を、前記スペクトルシェアリングの要求元と共有させるか否かを判断するように、スペクトルシェアリングの要求を処理するステップと、
前記の照合の結果に基づいて、少なくとも、前記１つ以上の利用可能なスペクトルサービスのうちの１つ以上を、前記スペクトルシェアリングの要求元に割り当てるステップと
を有する、記憶媒体。
【請求項２２】
前記方法が、スペクトルサービスの割当規制に関する１つ以上の規制ルールを決定するステップを有し、
前記１つ以上の利用可能なスペクトルサービスの割り当ては前記１つ以上の規制ルールにも基づいている、請求項２１に記載の記憶媒体。
【請求項２３】
１つ以上のスペクトルサービスホルダに提供されている１つ以上の利用可能なスペクトルサービスに対応する情報を、少なくとも、クラウドスペクトルサービスデータベースに保存する処理を実行させる制御論理部であって、前記情報は、前記１つ以上の利用可能なスペクトルサービスにそれぞれ関連する１つ以上のスペクトル共有基準を含み、前記１つ以上のスペクトル共有基準は前記１つ以上のスペクトルサービスホルダにより提供されている、制御論理部と、
スペクトルシェアリングの要求を受信する通信モジュールと、
前記クラウドスペクトルサービスデータベースに保存されている前記１つ以上の利用可能なスペクトル共有基準と、スペクトルシェアリングの要求元に関連する１つ以上のサービス基準との照合に少なくとも部分的に基づいて、少なくとも、前記１つ以上の利用可能なスペクトルサービスのうちの１つ以上を、前記スペクトルシェアリングの要求元と共有させるか否かを判断する共有判断モジュールと、
前記の照合の結果に基づいて、少なくとも、前記１つ以上の利用可能なスペクトルサービスのうちの１つ以上を、前記スペクトルシェアリングの要求元に割り当てる割り当てモジュールと
を有する装置。
【請求項２４】
当該装置が、スペクトルサービスの割当規制に関する１つ以上の規制ルールを決定する規制ルールモジュールを有し、
前記１つ以上の利用可能なスペクトルサービスの割り当ては前記１つ以上の規制ルールにも基づいている、請求項２３に記載の装置。
【発明の詳細な説明】
【技術分野】
【０００１】
本願はスペクトルサービスのダイナミックシェアリングのための方法、装置及び記憶媒体等に関連する。
【背景技術】
【０００２】
(例えば、無線、セルラ等に関連する)サービスプロバイダやデバイス製造業者は、例えば、人々を引き付けるネットワークサービスを提供することにより、顧客に価値や利便性を提供できるよう継続的に努力している。今後5-10年の間に世界的規模でモバイルブロードバンドサービスのトラフィックは著しく成長することを、多くの機関は予想している。概して、これらの予想は80％の復号年間成長率(compound  annual  growth  rate)に及んでいる。そのような著しいトラフィック成長は、モバイルブロードバンドキャリアに排他的にライセンスするよう意図される(現在及び将来的な)スペクトルが、10年のうちに枯渇してしまう結末を招く。一方、潜在的なスペクトル不足の問題とは別に、多くの国々、世界におけるスペクトル利用状況は、300MHzないし6GHzの範囲内で使用されているスペクトルが非常に多いことを示している。産業規制団体(Industry  and  regulatory  agencies)はそのような事実及び問題に配慮して、より柔軟性のある動的な規制の枠組みを採用しようとしており、ダイナミックスペクトルシェアリング(Dynamic  Spectrum  Sharing：DSS)及びダイナミックスペクトルアクセス(Dynamic  Spectrum  Access：DSA)と呼ばれるスペクトルの共有及びアクセスを可能にしようとしている。DSS及びDSAは、プライマリユーザ又はスペクトルホルダに割り当てられている又は所有されているスペクトルを、スペクトルの利用を必要とするセカンダリユーザ又はスペクトルホルダが、如何なる有害な妨害も無しに利用できるようにする。
【先行技術文献】
【特許文献】
【０００３】
【特許文献１】米国特許出願公開第2008-0109343号明細書
【特許文献２】米国特許出願公開第2011-0310941号明細書
【発明の概要】
【発明が解決しようとする課題】
【０００４】
従って、利用可能なスペクトルサービスのダイナミックシェアリングを管理するための技法が望まれている。
【課題を解決するための手段】
【０００５】
一実施形態により提供される方法は、
１つ以上のスペクトルサービスホルダに提供されている１つ以上の利用可能なスペクトルサービスに対応する情報を、少なくとも、クラウドスペクトルサービスデータベースに保存するステップであって、前記情報は、前記１つ以上の利用可能なスペクトルサービスにそれぞれ関連する１つ以上のスペクトル共有基準を含み、前記１つ以上のスペクトル共有基準は前記１つ以上のスペクトルサービスホルダにより提供されている、ステップと、
前記クラウドスペクトルサービスデータベースに保存されている前記１つ以上の利用可能なスペクトル共有基準と、スペクトルシェアリングの要求元に関連する１つ以上のサービス基準との照合に少なくとも部分的に基づいて、少なくとも、前記１つ以上の利用可能なスペクトルサービスのうちの１つ以上を、前記スペクトルシェアリングの要求元と共有させるか否かを判断するように、スペクトルシェアリングの要求を処理するステップと、
前記の照合の結果に基づいて、少なくとも、前記１つ以上の利用可能なスペクトルサービスのうちの１つ以上を、前記スペクトルシェアリングの要求元に割り当てるステップと
を有する方法である。
【図面の簡単な説明】
【０００６】
【図１】は利用可能なスペクトルサービスのダイナミックシェアリングを管理することが可能な一実施形態によるシステムを示す図。
【図２】一実施形態によるクラウドサービス管理プラットフォームの構成要素を示す図。
【図３】利用可能なスペクトルサービスのダイナミックシェアリングを管理する一実施形態による手順を示すフローチャート。
【図４】一実施形態を実現するために使用可能なチップセットを示す図。
【発明を実施するための形態】
【０００７】
＜実施の形態の概要＞
一実施形態による方法は、
１つ以上のスペクトルサービスホルダに提供されている１つ以上の利用可能なスペクトルサービスに対応する情報を、少なくとも、クラウドスペクトルサービスデータベースに保存するステップであって、前記情報は、前記１つ以上の利用可能なスペクトルサービスにそれぞれ関連する１つ以上のスペクトル共有基準を含み、前記１つ以上のスペクトル共有基準は前記１つ以上のスペクトルサービスホルダにより提供されている、ステップと、
前記クラウドスペクトルサービスデータベースに保存されている前記１つ以上の利用可能なスペクトル共有基準と、スペクトルシェアリングの要求元に関連する１つ以上のサービス基準との照合に少なくとも部分的に基づいて、少なくとも、前記１つ以上の利用可能なスペクトルサービスのうちの１つ以上を、前記スペクトルシェアリングの要求元と共有させるか否かを判断するように、スペクトルシェアリングの要求を処理するステップと、
前記の照合の結果に基づいて、少なくとも、前記１つ以上の利用可能なスペクトルサービスのうちの１つ以上を、前記スペクトルシェアリングの要求元に割り当てるステップと
を有する方法である。
【０００８】
別の形態による装置は、
少なくとも１つのプロセッサと、
１つ以上のプログラムに関するコンピュータプログラムコードを含む少なくとも１つのメモリと、
を有する装置であって、前記少なくとも１つのメモリ及び前記コンピュータプログラムコードは、前記少なくとも１つのプロセッサにより、少なくとも或る方法を前記装置に実行させるように形成され、前記或る方法は、
１つ以上のスペクトルサービスホルダに提供されている１つ以上の利用可能なスペクトルサービスに対応する情報を、少なくとも、クラウドスペクトルサービスデータベースに保存するステップであって、前記情報は、前記１つ以上の利用可能なスペクトルサービスにそれぞれ関連する１つ以上のスペクトル共有基準を含み、前記１つ以上のスペクトル共有基準は前記１つ以上のスペクトルサービスホルダにより提供されている、ステップと、
前記クラウドスペクトルサービスデータベースに保存されている前記１つ以上の利用可能なスペクトル共有基準と、スペクトルシェアリングの要求元に関連する１つ以上のサービス基準との照合に少なくとも部分的に基づいて、少なくとも、前記１つ以上の利用可能なスペクトルサービスのうちの１つ以上を、前記スペクトルシェアリングの要求元と共有させるか否かを判断するように、スペクトルシェアリングの要求を処理するステップと、
前記の照合の結果に基づいて、少なくとも、前記１つ以上の利用可能なスペクトルサービスのうちの１つ以上を、前記スペクトルシェアリングの要求元に割り当てるステップと
を有する、装置である。
【０００９】
別の形態による記憶媒体は、
１つ以上のプロセッサにより装置に方法を実行させる１つ以上の一連の１つ以上の命令を記憶するコンピュータ読み取り可能な記憶媒体であって、前記方法は、
１つ以上のスペクトルサービスホルダに提供されている１つ以上の利用可能なスペクトルサービスに対応する情報を、少なくとも、クラウドスペクトルサービスデータベースに保存するステップであって、前記情報は、前記１つ以上の利用可能なスペクトルサービスにそれぞれ関連する１つ以上のスペクトル共有基準を含み、前記１つ以上のスペクトル共有基準は前記１つ以上のスペクトルサービスホルダにより提供されている、ステップと、
前記クラウドスペクトルサービスデータベースに保存されている前記１つ以上の利用可能なスペクトル共有基準と、スペクトルシェアリングの要求元に関連する１つ以上のサービス基準との照合に少なくとも部分的に基づいて、少なくとも、前記１つ以上の利用可能なスペクトルサービスのうちの１つ以上を、前記スペクトルシェアリングの要求元と共有させるか否かを判断するように、スペクトルシェアリングの要求を処理するステップと、
前記の照合の結果に基づいて、少なくとも、前記１つ以上の利用可能なスペクトルサービスのうちの１つ以上を、前記スペクトルシェアリングの要求元に割り当てるステップと
を有する、記憶媒体である。
【００１０】
以下、本願による実施の形態を説明する。しかしながら、本願により説明される任意の装置、方法及び/又はシステムの特徴を使用する如何なるシステムも実施の形態の精神及び範囲に包含されるものと考えられる。
【００１１】
＜図面＞
以下、添付図面とともに非限定的な例とともに実施の形態を説明する。
【００１２】
図1は利用可能なスペクトルサービスのダイナミックシェアリングを管理することが可能な一実施形態によるシステムを示す。
【００１３】
図2は一実施形態によるクラウドサービス管理プラットフォームの構成要素を示す。
【００１４】
図3は利用可能なスペクトルサービスのダイナミックシェアリングを管理する一実施形態による手順のフローチャートを示す。
【００１５】
図4は一実施形態を実現するために使用可能なチップセットを示す。
【００１６】
＜実施の形態の詳細な説明＞
利用可能なスペクトルサービスのダイナミックシェアリングを管理するための方法、装置及びコンピュータプログラム等の具体例が開示される。以下の説明では、説明の便宜上、多くの具体的な詳細事項が実施形態の理解を促すように記述されている。しかしながら、そのような具体的な詳細事項によらず、又は等価的な形態により、実施形態を実現できることは当業者に明らかである。また、既知の構造や装置は実施形態を不必要に曖昧にしてしまうことを回避するためにブロック図で示されている。
【００１７】
図1は利用可能なスペクトルサービスのダイナミックシェアリングを管理することが可能な一実施形態によるシステムを示す。ダイナミックシェアリング(dynamic  sharing)は動的共有等と言及されてもよい。クラウドスペクトルサービス(Cloud  Spectrum  Service：CSS)の概念は、ネットワーククラウドにおいてセントラル化されたDSS/DSAの形態で実現するように提案される。具体的には、クラウドは、動的な(リアルタイムの)割り当て、要求し直し(re-claiming)、割り当て解除、検査(auditing)等の管理を実行し、或いは、プライマリスペクトルホルダ及びオペレータ/ユーザ/コンテンツプロバイダ(言い換えれば、代替的なスペクトルホルダ)の間で貸し借りされるスペクトルの最適化された利用の仕方を管理してもよい。
【００１８】
しかしながら、そのようなプライマリスペクトルホルダ、代替的なスペクトルホルダ、スペクトルブローカ、管理サービス部、及び/又は規制団体等のようなノード又は存在(entity)の間において、利用可能なスペクトルサービスのダイナミックシェアリングを促進する通信を実行する適切なインタフェースやプロトコルは今のところ無い。むしろ、DSS/DSAの機能を有する従来のサービスは、セカンダリシステムがサービス可能になる静的なデータベースにより(例えば、ホワイトスペースで)実現されるか、或いは、プライマリサービスとの如何なる協調もなしにセカンダリシステムによるスペクトル検出により実現されているに過ぎない(例えば、5GHzバンドにおけるDFSイネーブルWiFi動作である)。
【００１９】
この問題に対処するため、図1のシステム100は、利用可能なスペクトルサービスのダイナミックシェアリングを管理する機能を導入する。例えば、プライマリスペクトルホルダ、代替的なスペクトルホルダ、スペクトルブローカ、管理サービス部及び/又は規制団体等の間における通信が、クラウドインタフェースにより利用可能なスペクトルサービスのダイナミックシェアリングを促進できるようにすることで、システム100はインタフェース及びプロトコルの必要性に応じる。
【００２０】
CSSでは、主に4種類の利害関係者が存在し、例えば、1)特定のスペクトルサービスを利用する排他的な権利を所有するプライマリスペクトルサービスホルダ、2)プライマリスペクトルサービスホルダに所有されている又は割り当てられているスペクトルの一部を借りる又は借用する必要がある代替的なスペクトルホルダ(例えば、セルラ若しくはモバイルブロードバンドオペレータ又はサービスプロバイダ)、3)プライマリスペクトルサービスホルダと代替的なスペクトルサービスホルダとの間において、スペクトル割り当てを管理し及び/又は借用又は共有処理を認可する規制団体、及び4)CSSクラウドで実行されるCSS処理を管理するスペクトルブローカ又は管理サービス部とが存在する。
【００２１】
図1に示されているように、システム100は、CSS管理プラットフォーム103に対する接続を有するユーザ装置(UE)101a-101n(まとめてUE101のように言及される)と、1つ以上のプライマリスペクトルサービスホルダ107a-107n(まとめてプライマリスペクトルサービスホルダ107のように言及される)と、1つ以上の代替的なスペクトルサービスホルダ109a-109n(まとめて代替的なスペクトルサービスホルダ109のように言及される)と、CSSデータベース111と、1つ以上のスペクトルサービス割当規制部113a-113n(まとめてスペクトルサービス割当規制部113のように言及される)とを有し、これらは通信ネットワーク105を介して結合される。プライマリサービスホルダは、一次スペクトルサービス保有者と言及されてもよい。代替的なスペクトルサービスホルダは、セカンダリサービスホルダ又は二次スペクトルサービス利用者と言及されてもよい。UE101、CSS管理プラットフォーム103、プライマリスペクトルサービスホルダ107、代替的なスペクトルサービスホルダ109、CSSデータベース111、及びスペクトルサービス規制部113は、何れも通信ネットワーク105とのコネクション(又は接続)を有するように示されており、それらの機能の各々は様々な実施形態及びシステムアーキテクチャに応じて互いの間で直接的なコネクションを有していてもいなくてもよい。
【００２２】
様々な実施形態に関し、CSS管理プラットフォーム103は、スペクトルブローカ又は管理サービス部により使用されてもよく、CSSデータベース111に動作可能に接続されていてもよいし或いはCSSデータベース111を含んでいてもよい。CSS管理プラットフォーム103は、CSS処理を事項するための様々な演算リソースを、CSSデータベース111に保存するように形成されてもよいし、或いはCSS管理プラットフォーム103に関連する他のメモリに保存するように形成されていてもよい。
【００２３】
様々な実施形態に関し、代替的なスペクトルサービスホルダ109のインフラストラクチャは、例えば、プライマリスペクトルサービスホルダ107に与えられている様々な利用可能なスペクトルサービスを、レンタルスペクトルとして使用する機能を有する無線アクセスネットワーク(RAN)及び/又はコアネットワークであってもよい。追加的に、UE101は、例えば、プライマリスペクトルサービスホルダ107に提供されている様々な利用可能なスペクトルサービスを利用することが可能なCSS対応マルチモード装置であってもよい。
【００２４】
1つ以上の実施形態において、次の4つの論理インタフェースのうち1つ以上の任意の組み合わせが存在していてもよい。例えば、第1のインタフェースはプライマリスペクトルサービスホルダ107とCSSデータベース111との間で規定される。第2のインタフェースは代替的なスペクトルサービスホルダ109とCSS管理プラットフォーム103との間で規定される。第3のインタフェースはCSS管理プラットフォーム103とCSSデータベース111との間で規定される。第4のインタフェースはプライマリスペクトルサービスホルダ107とCSS管理プラットフォーム103との間で規定される。
【００２５】
様々な実施形態において、CSSアーキテクチャに依存して、或いは代替的に、CSS管理プラットフォーム103とUE101との間や、及び/又はスペクトルサービス規制部113との間で他の論理インタフェースが規定されてもよい。また、スペクトルサービス規制部はプライマリスペクトルサービスホルダ107に対する直接的なインタフェースであってもよい。
【００２６】
一実施形態において、プライマリスペクトルサービスホルダ107は、例えば、無線リソースのようなスペクトルサービスが動的な形式で特定の期間の間に利用可能であること等を示す情報を、CSS管理プラットフォーム103及び/又はCSSデータベース111に直接的に又はCSS管理プラットフォーム103を介して提供する。これに応じて、プライマリスペクトルサービスホルダ107により提供される利用可能なスペクトルサービスに関する情報は、CSSデータベース111に保存される。
【００２７】
様々な実施形態に関し、代替的なスペクトルサービスホルダ109又はUE101は、インタフェースを介して、スペクトルの借用に関連する1つ以上のスペクトル共有リクエストをCSS管理プラットフォーム103に送る。例えば、代替的なスペクトルサービスホルダ109又はUE101にとって現在利用可能なスペクトル、又は代替的なスペクトルサービスホルダ109又はUE101にとって将来利用可能になると予想されるスペクトルを上回る更なるスペクトルサービスが必要である、と代替的なスペクトルサービスホルダ109又はUE101が判断した場合、代替的なスペクトルサービスホルダ109又はUE101は、現在又は将来のスペクトルサービスの必要性(需要)が満足されるように、CSS管理プラットフォーム103に送信されるスペクトルシェアリングの要求(リクエスト)を作成する。
【００２８】
スペクトルシェアリングの要求は、要求に関する様々なサービス基準又は詳細事項を指定し、例えば、要求されるスペクトル共有が行われるべき期間、要求されるスペクトルシェアリングの提示価格の範囲、要求されるスペクトルシェアリングが許可される周波数範囲、前記スペクトルシェアリングの要求元に関するパフォーマンス条件、及び、要求されるスペクトルシェアリングが行われるスペクトルサービスホルダ、のうちの１つ以上を指定してもよいが、これらに限定されない。
【００２９】
スペクトルサービスが利用可能である旨の情報と共に、プライマリスペクトルサービスホルダ107は様々なスペクトル共有基準を含み、スペクトル共有基準は、利用可能なスペクトルサービスを共有する際の希望価格、利用可能なスペクトルサービスのパフォーマンスデータ、利用可能なスペクトルサービスの周波数範囲、及び、利用可能なスペクトルサービスの共有が許可されるスペクトルシェアリングの要求者、のうちの１つ以上を指定してもよいが、これらに限定されない。
【００３０】
スペクトルサービスシェアリングの要求を受信したことに応じて、CSS管理プラットフォーム103は、CSSデータベース111に保存されている情報を取得し、代替的なスペクトルサービスホルダ109又はUE101のスペクトルシェアリングに関する要求を分析し、任意の規制ルールを考慮してもよく、規制ルールは、1つ以上の利用可能なスペクトルサービスを、他のスペクトルサービスホルダ109又はUE101に割り当てることに関する。「割り当てる」は、割り振る、指定する等と言及されてもよい。
【００３１】
例えば、CSS管理プラットフォーム103は、プライマリスペクトルサービスホルダ107により設定された様々なスペクトル共有基準と、代替的なスペクトルサービスホルダ109又はUE101により与えられるサービス基準とを比較する。その比較(結果)に基づいて、CSS管理プラットフォーム103は、特定の利用可能なスペクトルサービスが、要求を行っている代替的なスペクトルサービスホルダ109又はUE101と共有されるべきであるか否かを判断する。利用可能なスペクトルサービスを共有することに関する判断は、例えば、CSSデータベース111に保存されているスペクトル共有基準と、代替的なスペクトルサービスホルダ109又はUE101により提供されるサービス基準との合致性(又は照合結果)に基づいていてもよい。合致性又は照合の判断は、例えば、様々なスペクトル共有基準と様々なサービス基準とのペアリングに関する最適化ルーチンに基づいていてもよい。「ペアリング」は、組み合わせ等と言及されてもよい。そして、合致性に基づいて、CSSデータベース111に保存されている利用可能なスペクトルサービスを共有するか否かの判断がなされ、利用可能なスペクトルサービスが代替的なスペクトルサービスホルダ109又はUE101に割り当てられてもよい。
【００３２】
例えば、プライマリスペクトルサービスホルダ107が、特定の時点で所定の会社のキャリア(certain  competitor  carrier)に、利用可能なスペクトルサービスの共有/貸し出しを可能にすることしか希望していない場合、CSS管理プラットフォーム103は、スペクトル共有基準の特定の組み合わせに従って、利用可能なスペクトルサービスを共有すること(又は共有するか否か)を判断してもよい。また、例えば、プライマリスペクトルサービスホルダ107が、利用可能なスペクトルサービスを、或る特定の最小価格でしか貸し出しも共有も行おうとしていない場合、CSS管理プラットフォーム103は、そのスペクトル共有基準が示す希望価格に合致する提示価格を有する代替的なスペクトルサービスホルダ109又はUE101しか合致していると判断しない。様々な実施形態に関し、CSS管理プラットフォーム103は、利用可能なスペクトルサービスを共有することにより得られる報酬を最大化するように形成されていてもよい。例えば、代替的なスペクトルサービスホルダ109又はUE101が、スペクトルの貸し出し希望価格を超える提示価格又は価格範囲を示すサービス基準を提示していた場合、CSS管理プラットフォーム103は、利用可能なスペクトルサービスを、最高値を付けている者に割り当て(例えば、価格を指定している代替的なスペクトルサービスホルダ109又はUE101が複数者であることが仮定されている)、及び/又は、価格を設定している者が唯1人しか存在しない場合、提示される範囲より安価であるかもしれない希望価格ではなく、提示される価格のうち最大価格で、利用可能なスペクトルサービスを割り当ててもよい。
【００３３】
1つ以上の実施形態において、様々なスペクトル共有基準及び/又はサービス基準は、所定の基準が他の基準より重要視されるように重み付けされ、スペクトルサービスを共有することに関する判断が、重み付けされた合致性(照合)に基づいて為されるようにしてもよい。例えば、スペクトル共有基準が、特定の時間に対して「X」という重みを有するように設定されているが、スペクトル共有のプライスポイントはXより大きく重み付けされた「Y」として設定され、代替的なスペクトルサービスホルダ109又はUE101により提示される特定のプライスポイントがその時間的制約よりも優先している場合に、CSS管理プラットフォーム103は、スペクトルサービスを共有する要求がなされる時間の間、又はスペクトルシェアリングがなされる時間の間に、プライマリスペクトルサービスホルダ107がスペクトルシェアリングを通常は許可しない場合でさえ、提示価格に基づいて利用可能なスペクトルサービスを共有する判断を行ってもよい。すなわち、プライマリスペクトルサービスホルダ107は、ピーク時間においては、例えば代替的なスペクトルサービスホルダ109又はUE101等のような会社とのスペクトルサービスの共有を希望しないが、プライマリスペクトルサービスホルダ107は、価格が適性であるならば共有するかもしれない。
【００３４】
上記の例は、代替的なスペクトルサービスホルダ109又はUE101と、プライマリスペクトルサービスホルダ107により提供される利用可能なスペクトルサービスとの比較及び照合に関し、照合、調整、重み付け、最適化、判断等を行う際の単なる一例に過ぎないことに留意すべきである。利用可能なスペクトルサービスを共有することについて判断を行う場合や、利用可能なスペクトルサービスを代替的なスペクトルサービスホルダ109又はUE101に割り当てる場合に、スペクトルの共有及び/又はサービス基準に関する任意のタイプのデータ、基準、組み合わせ、重み付けの仕方がCSS管理プラットフォーム103に提供されてもよい。
【００３５】
また、利用可能なスペクトルサービスを、要求している代替的なスペクトルサービスホルダ109又はUE101と共有するか否かを判断する場合に、CSS管理プラットフォーム103は、スペクトルサービス規制部113により提供される何らかの規制ルールを考慮してもよい。例えば、CSS管理プラットフォーム103がスペクトル共有基準及びサービス基準の合致性を最適化する場合に、借用、貸し出し、共有等によるスペクトルサービスの割り当てを制御する何らかの規制ルールが考慮されてもよく、或いは、利用可能なスペクトルサービスを共有する旨の判断がなされた後に、CSS管理プラットフォーム103が規制ルールを提供してもよく、規制ルール(regulatory  rule)は、利用可能なスペクトルサービスを共有すること、及び/又は利用可能なスペクトルサービスを代替的なスペクトルサービスホルダ109又はUE101に割り当てることを、承認又は否認する際に使用される。
【００３６】
1つ以上の実施形態において、CSS管理プラットフォーム103は、利用可能なスペクトルサービスを、代替的なスペクトルサービスホルダ109又はUE101に割り当てることに関するCSSデータベース111を更新する。CSS管理プラットフォーム103は、スペクトルシェアリングの要求に関する判断を、通知メッセージを利用して、代替的なスペクトルサービスホルダ109又はUE101に通知してもよい。通知メッセージは、利用可能なスペクトルサービスを共有する旨の判断及び/又は割当に関する具体的な詳細事項を含み、例えば、支払われた額、支払われるべき額、割当の期間、割当周波数、割当頻度、プライマリスペクトルサービスホルダの詳細情報等を含む。
【００３７】
CSS管理プラットフォーム103は、利用可能なスペクトルサービスの割り当てを、通知メッセージにより、プライマリスペクトルサービスホルダ107に報告してもよい。通知メッセージは、スペクトルサービスを共有及び/又は割り当てることに関する具体的な詳細事項を含み、例えば、支払われた額、支払われるべき額、割当の期間、割当周波数、割当頻度、プライマリスペクトルサービスホルダの詳細情報等を含む。
【００３８】
一例として、システム100の通信ネットワーク105は1つ以上のネットワークを含み、例えば、有線データネットワーク、無線ネットワーク、電話ネットワーク、又はそれらの任意の組み合わせを含んでよい。データネットワークは、何らかのローカルエリアネットワーク(LAN)、メトロポリタンエリアネットワーク(MAN)、ワイドエリアネットワーク(WAN)、パブリックデータネットワーク(例えば、インターネット)、近距離無線ネットワーク、その他の適切な任意のパケット交換ネットワーク等であってもよく、市販のネットワークであってもよいし、専用のパケット交換ネットワーク(例えば、専用のケーブル又は光ファイバネットワーク等)であってもよいし、それらの任意の組み合わせであってもよいことが想定されている。更に、無線ネットワークは、例えば、セルラネットワークであってもよく、様々な技術を利用していてもよく、例えば、EDGE(enhanced  data  rate  for  global  evolution)、GPRS(general  packet  radio  service)、GSM（登録商標）(global  system  for  mobile  communications)、IMS(internet  protocol  multimedia  subsystem)、UMTS(universal  mobile  telecommunications  system)等だけでなくその他の適切な任意の無線媒体を含んでいてもよく、例えば、WiMAX(worldwide  interoperability  for  microwave  access)、ロングタームエボリューション(Long  Term  Evolution：LTE)ネットワーク、符号分割多重アクセス(code  division  multiple  access：CDMA)、ワイドバンドCDMA(wideband  CDMA：WCDMA（登録商標）)、WiFi(wireless  fidelity)、WiGig、WLAN(wireless  LAN)、ブルートゥース(Bluetooth(登録商標))、インターネットプロトコル(IP)、データキャスティング、衛星、モバイルアドホックネットワーク(MANET)等又はそれらの任意の組み合わせを含んでいてもよい。
【００３９】
UE101はモバイル端末、固定端末又は携帯端末等の任意のタイプであってよく、例えば、モバイルハンドセット、通信局、ステーション、ユニット、通信装置、デバイス、マルチメディアコンピュータ、マルチメディアタブレット、インターネットノード、コミュニケータ、デスクトップコンピュータ、ラップトップコンピュータ、ノートブックコンピュータ、ネットブックコンピュータ、タブレットコンピュータ、パーソナル通信システム(PCS)装置、パーソナルナビゲーション装置、パーソナルディジタルアシスタント(PDA)、オーディオ/ビデオプレーヤ、ディジタルカメラ/カムコーダ、測位装置、ポジショニング装置、テレビジョン受信機、無線ブロードキャスト受信機、電子ブック装置、ゲーム装置、或いはそれらの任意の組み合わせを含んでもよいし、それらの装置のアクセサリ及び周辺装置更にはそれらの任意の組み合わせを含んでいてよい。UE101はユーザに対する任意のタイプのインタフェースをサポートすることが可能であるように(例えば、「着脱可能な」回路等であることが)想定されていてもよい。
【００４０】
例えば、UE101、CSS管理プラットフォーム103、プライマリスペクトルサービスホルダ107、代替的なスペクトルサービスホルダ109、及び選択的なCSSデータベース111及びスペクトルサービス割当規制部113は、既存の又は将来的な又は規定されつつあるプロトコルを利用して、互いに及び通信ネットワーク105の他の構成要素と通信を行ってよい。本願において、プロトコルは、通信リンクを介して送信された情報に基づいて、通信ネットワーク105内のネットワークノードがどのようにして互いにやりとりを行うかを規定する一群の規則又は手順を含む。このプロトコルは、各々のノード内における様々なレイヤの動作に関連し、例えば、様々なタイプの物理信号を生成及び受信する処理に始まり、それらの信号を転送するリンクを選択する処理、それらの信号により通知される情報のフォーマットの処理、コンピュータシステムで動作する何れのソフトウェアアプリケーションが情報を送受信するかを特定する処理等に至る様々な動作に関連する。ネットワークで情報をやり取りする際に概念的に異なるプロトコルレイヤが、オープンシステムインターコネクション(OSI)リファレンスモデルにおいて規定されてもよい。
【００４１】
ネットワークノード間の通信は典型的には個別的なデータパケットにより実行される。各々のパケットは、典型的には、1)特定のプロトコルに関連するヘッダ情報、及び2)ヘッダ情報に続き、その特定のプロトコルとは独立に処理されてよい情報を含むペイロード情報を含む。プロトコルによっては、パケットは、3)ペイロードに続き、ペイロード情報の終わりを示すテイラー(tailer)情報を含む。ヘッダは、パケットのソース(送信元)、パケットの宛先(送信先)、ペイロードの長さ、及びプロトコルにより使用されるその他の特性を示す。しばしば、特定のプロトコルに関するペイロード中のデータは、OSIリファレンスモデルの異なる上位レイヤに関連する異なるプロトコルのヘッダ及びペイロードを含む。特定のプロトコルに関するヘッダは、典型的には、ペイロードに含まれている次のプロトコルのタイプを示す。上位レイヤプロトコルは、低位レイヤプロトコルでカプセル化される等と言及される。インターネット等のような複数のヘテロジニアスネットワークを通パケットに含まれるヘッダは、典型的には、物理(レイヤ1)ヘッダ、データリンク(レイヤ2)ヘッダ、インターネットワーク(レイヤ3)ヘッダ、トランスポート(レイヤ4)ヘッダ、及び様々なアプリケーション(レイヤ5、レイヤ6、レイヤ7等の)ヘッダ(OSIリファレンスモデルで規定される)を含む。
【００４２】
図2は一実施形態によるCSS管理プラットフォーム103の構成要素を示す。具体例として、CSS管理プラットフォーム103は、利用可能なスペクトルサービスのダイナミックシェアリングを管理するための1つ以上の構成要素を含む。これらの構成要素の機能は、1つ以上の要素の組み合わせであってもよいし、或いは他の等価的な機能部により実行されてもよいことが、想定されている。この実施形態において、CSS管理プラットフォーム103は、上述したように、通信モジュール201、制御論理部203、共有判断モジュール205、規制ルールモジュール207、割当モジュール209、選択的なCSSデータベース111を含む。
【００４３】
様々な実施形態に関し、CSS管理プラットフォーム103は、プライマリスペクトルサービスホルダ107が提供する1つ以上の利用可能なスペクトルサービスに関する情報を、通信モジュール201により受信する。制御論理部203は、1つ以上の利用可能なスペクトルサービスに関する情報が、CSSデータベース111に保存されることを引き起こす。スペクトルシェアリングに関する要求(スペクトル共有の要求)は、通信モジュール201により受信されてもよい。スペクトルシェアリングの要求を受信すると、制御論理部203は、スペクトルシェアリングの要求に関する何らかの情報を評価(又は判断)することを共有判断モジュール205に指示し、何らかの情報は、例えば、上記のサービス基準及び/又はスペクトルシェアリングの要求元(例えば、代替的なスペクトルサービスホルダ109又はUE101等)である。そして、共有判断モジュール205は、スペクトルシェアリングの要求に関する情報と、CSSデータベース111に保存されている利用可能なスペクトルサービスに関連する何らかの情報(例えば、規制ルールモジュール207により管理される何らかの規制ルール及び/又は何らかのスペクトル共有基準等であるがこれらに限定されない)とを比較し、1つ以上の利用可能なスペクトルサービスを、スペクトルシェアリングの要求元と共有するか否かを判断する。
【００４４】
上述したように、スペクトルサービスを共有することに関する判断は、何らかの利用可能な規制ルールを考慮してなされてもよく、或いは、何らかの規制ルールが事前に適用され、利用可能なスペクトルサービスを共有することに関する判断がなされてもよい。1つ以上の利用可能なスペクトルサービスを共有する判断を行うと、制御論理部203は、1つ以上の利用可能なスペクトルサービスを、スペクトルシェアリングの要求元(すなわち、代替的なスペクトルサービスホルダ109又はUE101)に割り当てることによって、利用可能なスペクトルサービスの共有化を促すように、割当モジュール209を指示する。
【００４５】
利用可能なスペクトルサービスを、スペクトルシェアリングの要求元に割り当てると、割当モジュール209は、割当が実行されたことを、プライマリスペクトルサービスホルダ107及び代替的なスペクトルサービスホルダ109又はUE101のうちの1つ以上に通知し、価格、時間、プロバイダ等のような1つ以上の利用可能なスペクトルサービスを共有するための判断に関する様々な詳細事項を、通信モジュール201により通知してもよい。更に、割当モジュール209は、割り当てられたスペクトルサービスを反映するように、CSSデータベース111を更新させてもよい。
【００４６】
図3は利用可能なスペクトルサービスのダイナミックシェアリングを管理する一実施形態による手順のフローチャートを示す。一実施形態において、CSS管理プラットフォーム103はプロセス又は手順300を実行し、CSS管理プラットフォーム103は例えば図4に示されているようなプロセッサ及びメモリを含むチップセットで実現されてもよい。ステップ301において、CSS管理プラットフォーム103は、少なくとも部分的に、1つ以上のスペクトルサービスホルダにより提供される1つ以上の利用可能なスペクトルサービスに対応する情報が、クラウドサービスデータベースに保存されることを引き起こす。この情報は、1つ以上の利用可能なスペクトルサービスにそれぞれ関連する1つ以上のスペクトル共有基準を含む。1つ以上のスペクトル共有基準は1つ以上のスペクトルサービスホルダにより提供される。様々な実施形態に関し、1つ上のスペクトル共有基準は、1つ以上のスペクトルサービスが利用可能である間の期間、利用可能なスペクトルサービスを共有する際の希望価格、利用可能なスペクトルサービスのパフォーマンスデータ、利用可能なスペクトルサービスの周波数範囲、及び、利用可能なスペクトルサービスの共有が許可されるスペクトルシェアリングの要求者のうちの1つ以上を含んでもよい。
【００４７】
ステップ303において、CSS管理プラットフォーム103はスペクトルシェアリングの要求を処理し、少なくとも部分的に、1つ以上の利用可能なスペクトルサービスのうちの1つ以上をスペクトルシェアリングの要求元と共有するか否かを判断する。1つ以上のスペクトルサービスを共有する判断は、クラウドスペクトルサービスデータベースに保存されている1つ以上のスペクトル共有基準と、スペクトルシェアリングの要求元に関連する1つ以上のサービス基準との間の合致性(照合又はマッチング)に少なくとも部分的に基づいている。様々な実施形態に関し、1つ以上のサービス基準は、要求されるスペクトルシェアリングが行われるべき期間、要求されるスペクトルシェアリングの提示価格の範囲、要求されるスペクトルシェアリングが許可される周波数範囲、スペクトルシェアリングの要求元に関するパフォーマンス条件、及び、要求されるスペクトルシェアリングが行われるスペクトルサービスホルダのうちの1つ以上を含んでもよい。更に、スペクトルシェアリングの要求元は、上記のUE101のようなクライアント及び/又は他のスペクトルサービスホルダのような任意のノード又は存在であってよい。
【００４８】
次に、ステップ305において、CSS管理プラットフォーム103は、スペクトルサービス割当規制部に関連する1つ以上の規制ルールを選択的に決定又は判断し、少なくとも部分的に、1つ以上の規制ルールに基づいて、1つ以上の利用可能なスペクトルサービスを割り当てる。
【００４９】
プロセスはステップ307に続き、CSS管理プラットフォーム103は、少なくとも部分的に、上記の合致性に基づいて、1つ以上の利用可能なスペクトルサービスの1つ以上が、スペクトルシェアリングの要求元に割り当てられることを引き起こす。次に、ステップ309において、CSS管理プラットフォーム103は、1つ以上の利用可能なスペクトルサービスのうち1つ以上を、スペクトルシェアリングの要求元に割り当てたことに少なくとも部分的に基づいて、クラウドスペクトルサービスデータベースが更新されることを引き起こす。
【００５０】
次に、ステップ311において、CSS管理プラットフォーム103は、1つ以上の利用可能なスペクトルサービスの割当を示す通知が、1つ以上の割り当てられたスペクトルサービスに関連する1つ以上のスペクトルサービスホルダに送信されることを引き起こす。様々な実施形態に関し、1つ以上の利用可能なスペクトルサービスの割当を示す通知は、スペクトルシェアリングの要求元との間で1つ以上のスペクトルサービスを共有する旨の判断に関する1つ以上の詳細情報を含んでもよい。プロセスはステップ313に続き、CSS管理プラットフォーム103は、少なくとも部分的に、1つ以上の利用可能なスペクトルサービスの割当を示す通知が、スペクトルシェアリングの要求元に送信されることを引き起こす。
【００５１】
利用可能なスペクトルサービスのダイナミックシェアリングを管理するための上記のプロセスは、有利なことに、ソフトウェア、ハードウェア、ファームウェア又はソフトウェア及び/又はファームウェア及び/又はハードウェアの組み合わせにより実現されてもよい。例えば、本願で説明されているプロセスは、有利なことに、プロセッサ、ディジタル信号処理(DSP)チップ、特定用途向け集積回路(ASIC)、フィールドプログラマブルゲートアレイ(FPGA)等により実現されてもよい。以下、そのような上記の機能を実行するためのハードウェアを例示的に説明する。
【００５２】
図4は一実施形態で使用されてよいチップセット又はチップ400を示す。チップセット400は、上記の利用可能なサービスのダイナミックシェアリングを管理できるようにプログラムされ、例えば、バス401、プロセッサ403、メモリ405、DSP407、ASIC409のような構成要素を含んでいてもよい。
【００５３】
プロセッサ403及びメモリ405は1つ以上の物理パッケージ(例えば、チップ)に組み入れられていてもよい。具体例として、物理パッケージは、構造アセンブリ(例えば、基板)上に1つ以上のマテリアル、構成要素、及び/又はワイヤの構造を含み、物理的強度、特定のサイズ及び形状、及び/又は電気信号を送受信する際の制約等のような1つ以上の特徴を示す。一実施形態において、チップセット400は単独のチップ上で実現されてもよいことが想定されている。一実施形態において、チップセット又はチップ400は単独の「システムオンチップ」として実現されてもよいことが更に想定されている。一実施形態において、個別的なASICは必ずしも使用されなくてもよく、例えば本願で開示される全ての関連する機能は1つ以上のプロセッサにより実行されてもよいことが想定されている。チップセット又はチップ400又はその一部分は、利用可能なスペクトルサービスのダイナミックシェアリングを管理する1つ以上のステップを実行する手段を形成する。
【００５４】
1つ以上の実施形態において、チップセット又はチップ400は、チップセット400の構成要素の中で情報を伝えるためのバス401のような通信手段を含む。プロセッサ403はバス401に対する接続を有し、命令を実行し、例えばメモリ405に保存されている情報を処理する。プロセッサ403は個別的に実行するように各々が形成されている1つ以上の処理コアを含んでいてもよい。マルチコアプロセッサは、単独の物理パッケージの中でマルチプロセシングを実行することが可能である。マルチコアプロセッサの具体例は、2つ、4つ、又は8つの処理コアを含む。代替的又は追加的に、プロセッサ403は、短ダム形態でバス401を介して形成された1つ以上のマイクロプロセッサを含み、命令の個別的な実行、パイプライン処理及びマルチスレッド処理を実行できる。プロセッサ403は、1つ以上のディジタル信号プロセッサ(DSP)407、又は1つ以上の特定用途向け集積回路(ASIC)409等のような所定の処理機能及びタスクを実行するための1つ以上の特別な要素を伴っていてもよい。DSP407は、典型的には、プロセッサ403とは独立してリアルタイムでリアルワールド信号(real-world  signal)を処理するように形成されている。同様に、ASIC409は、より一般的な汎用プロセッサでは容易に実行できない特殊な機能を実行するように形成されていてもよい。上記の発明機能を実行することに寄与する他の特殊な構成要素は、1つ以上のフィールドプログラマブルゲートアレイ(FPGA)、1つ以上のコントローラ、1つ以上の他の特定用途のコンピュータチップ等を含んでいてもよい。
【００５５】
一実施形態において、プロセッサ(又はマルチプロセッサ(群))4-3は、利用可能なスペクトルサービスのダイナミックシェアリングを管理又は制御することに関連するコンピュータプログラムコードで規定されるような情報に関する一群の処理を実行する。コンピュータプログラムコードは、指定された機能を実行するようにプロセッサ及び/又はコンピュータシステムを動作させる命令を提供する一群の命令又はステートメントである。プログラムコード(コード)は、例えば、プロセッサ本来の命令群にコンパイルされるコンピュータプログラミング言語で書かれていてもよい。コードは本来の命令群を用いて直接的に(例えば、マシン語で)書かれていてもよい。一群の処理は、情報をバス401から移動させ、情報をバス401に与える。一群の処理は、典型的には、2つ以上の情報単位の比較、一部の情報単位の移動(シフト)、2つ以上の情報単位の結合等を含み、例えば、OR、排他的OR(XOR)及びAND等のような加算又は乗算又は論理処理を含む。プロセッサにより実行可能な一群の処理のうちの各々の処理は、1つ以上の数字によるオペレーションコード等のような命令として言及される情報により、プロセッサに対して表現される。一連の処理コード又は処理コードシーケンス等のようなプロセッサ403により実行される処理シーケンスは、コンピュータシステム命令、又は単にコンピュータ命令のように言及されるプロセッサ命令を形成する。プロセッサは、機械的、電子的、電磁的、光学的、化学的又は量子素子的に単独で又は組み合わせにより実現されてもよい。
【００５６】
プロセッサ403及び付随する要素はバス401を介してメモリ405に至る接続(コネクション)を有する。メモリ405は、利用可能なスペクトルサービスのダイナミックシェアリングを管理するために本願で説明される発明ステップを動作時に実行する実行可能命令を保存するダイナミックメモリ(例えば、RAM、磁気ディスク、書き込み可能光ディスク等)及びスタティックメモリ(例えば、RAM、CD-ROM等)のうちの1つ以上を含んでいてもよい。メモリ405は、発明ステップを実行することにより生成される又はそれに関連するデータを保存する。
【００５７】
1つ以上の実施形態において、ランダムアクセスメモリ(RAM)又はその他の任意のダイナミックストレージ装置等のようなメモリ405は、利用可能なスペクトルサービスのダイナミックシェアリングを管理するためのプロセッサ命令を含む情報を保存する。ダイナミックメモリでは、保存されている情報をシステム100により変えることが許容されている。RAMは、メモリアドレスと呼ばれる場所に保存された情報単位が、隣接するアドレスで情報を独立に保存及び抽出されることを可能にする。メモリ405は、プロセッサ命令の実行中にプロセッサ403により使用される一時的な値を保存するために使用される。メモリ405は、バス401に結合されたリードオンリメモリ(ROM)又はその他の任意のスタティックストレージ装置であってもよく、システム100によっては変更されない静的な情報(命令を含む)を保存する。ある種のメモリは、電源が失われた場合に、保存していた情報を失う揮発性ストレージを形成する。メモリ405は、システム100がターンオフされた場合又は電源が落ちた場合でさえ情報(命令を含む)を維持する不揮発性(永続的)ストレージであってもよく、磁気ディスク、光ディスク、フラッシュカード等であってもよい。
【００５８】
本願で使用されている「コンピュータ読み取り可能媒体」という用語は、実行する命令を含む情報をプロセッサ403に提供することに関連する任意の媒体を指す。そのような媒体は、コンピュータで読み取ることが可能な記憶媒体(例えば、不揮発性媒体、揮発性媒体)や、伝送媒体等を含む多くの形態をとってよい。揮発性媒体は、例えば、ダイナミックメモリを含む。伝送媒体は、例えば、より対線ケーブル(ツイストペア)、同軸ケーブル、銅線、光ファイバケーブル、搬送波(キャリア波)等を含み、搬送波はワイヤやケーブル無しに空間を伝搬し、例えば音響波や電磁波を含み、無線電波、光、赤外線等を含む。信号は、振幅、周波数、位相、偏光又はその他の伝送媒体を介して伝送される物理的な特徴で形成された人為的な変化を含む。コンピュータ読み取り可能媒体に一般的な形態は、例えば、フロッピディスク、フレキシブルディスク、ハードディスク、磁気テープ、他の何らかの磁気媒体、CD-ROM、CDRW、DVD、他の何らかの光学媒体、パンチカード、紙テープ、光学マスクシート、他の何らかの物理媒体(例えば、孔又は他の光学的に認識可能な印によるパターンを有する)、RAM、PROM、EPROM、FLASH-EPROM、EEPROM、フラッシュメモリ、他の何らかのメモリチップ又はカートリッジ、搬送波、キャリア波、コンピュータにより読み取られることが可能な他の何らかの媒体等であるがこれらに限定されない。コンピュータ読み取り可能な記憶媒体という用語は、コンピュータ読み取り可能媒体から伝送媒体を除いた者を指すように本願では使用されている。
【００５９】
以上、多くの実施形態及び実施例が説明されてきたが、実施形態等は上記の形態に限定されず、様々な自明な変形例及び均等な形態を含み、それらも特許請求の範囲に属する。様々な実施形態の特徴は特許請求の範囲における事項の所定の組み合わせにより表現されているが、これらの特徴は任意の組み合わせ及び順序で形成可能であることも想定されている。
【図１】
2015518673.tif 000003
【図２】
2015518673.tif 000004
【図３】
2015518673.tif 000005
【図４】
2015518673.tif 000006
【国際調査報告】
2015518673.tif 000007
2015518673.tif 000008